(57)【要約】【課題】受信地域特有の受信障害への対策を自動的に実施することが可能なテレビジョン受信装置の提供。【解決手段】地域を識別する番号毎に対応させて１又は複数のチャンネルを記憶する記憶手段７と、地域を識別する番号の入力を受付ける受付手段５とを備え、受付手段５が受付けた番号に応じた１又は複数のチャンネルを受信可能に設定するテレビジョン受信装置。地域を識別する番号により識別される地域毎の受信障害対策を番号毎に記憶する受信障害対策記憶手段６と、受信障害対策記憶手段６が記憶する受信障害対策を実施する実施手段３，３ａ，５，８，８ａとを備える構成である。【選択図】図１
2012199683.tif 000002
【特許請求の範囲】
【請求項１】
地域を識別する番号毎に対応させて１又は複数のチャンネルを記憶する記憶手段と、前記番号の入力を受付ける受付手段とを備え、該受付手段が受付けた番号に応じた１又は複数のチャンネルを受信可能に設定するテレビジョン受信装置において、
前記番号により識別される地域毎の受信障害対策を番号毎に記憶する受信障害対策記憶手段と、該受信障害対策記憶手段が記憶する受信障害対策を実施する実施手段とを備えていることを特徴とするテレビジョン受信装置。
【請求項２】
前記受付手段が前記番号を受付けたときに、受付けた番号に応じた受信障害対策を前記受信障害対策記憶手段が記憶しているか否かを判定する手段を更に備え、該手段が前記受信障害対策を記憶していると判定したときに、該受信障害対策を前記実施手段が実施するように構成してある請求項１記載のテレビジョン受信装置。
【請求項３】
前記受信障害対策記憶手段が記憶する受信障害対策を実施するか否かの操作を受付ける手段を更に備え、該手段が受付けた操作に従うように構成してある請求項１又は２記載のテレビジョン受信装置。
【発明の詳細な説明】
【技術分野】
【０００１】
本発明は、郵便番号、電話番号等の地域を識別する番号毎に対応させてチャンネルを記憶しておき、受付けた番号に応じたチャンネルを受信可能に設定するテレビジョン受信装置の改良に関するものである。
【背景技術】
【０００２】
近時、テレビジョン受信装置では、チャンネル設定時にユーザが７桁の郵便番号を入力して、その郵便番号が識別する地域（地区）における受信可能な放送局を、自動的に設定する機能を備えたものがある。７桁の郵便番号は、町村地区レベルまで地域を特定できるものであり、そのテレビジョン受信装置が設置された地区をかなり詳細に特定することが可能である。
【０００３】
特許文献１には、チャンネルとそのチャンネルにおける既知の受信に関する不具合との関係を記憶する既知不具合状態保持部と、既知不具合状態保持部に記憶された不具合を有するチャンネルが選局された場合に、そのチャンネルに対応する不具合を報知するメッセージ報知部とを有するテレビジョン受信装置が開示されている。
チャンネル設定時に、その地域固有の受信障害の原因及び対策のヒントを、表示画面上に表示し、ユーザに受信状況の理解及び解決の一助を提供するものであり、選局調整自体は手動で行い、自動的に調整されるというものではない。
【先行技術文献】
【特許文献】
【０００４】
【特許文献１】特開２００８−０７２３３５号公報
【発明の概要】
【発明が解決しようとする課題】
【０００５】
地上デジタル放送は、アナログ放送に比較して、耐ゴースト等の性能は改善されているが、弱／強電界での妨害、隣接妨害、及びアナログ放送からの妨害等、受信する地域特有の受信障害は依然存在しているという問題がある。そのような地域での受信障害を改善する為、ＲＦ（Radio Frequency）回路を調整する機能を有する機種も存在するが、その調整を実行することで、逆に他の地域での受信で問題が発生する場合があり、現状は個別に対応（サービスマンによる現地での調整変更）している状況である。
【０００６】
本願は、上述したような状況に鑑みてなされたものであり、受信地域特有の受信障害への対策を自動的に実施することが可能なテレビジョン受信装置を提供することを目的とする。
【課題を解決するための手段】
【０００７】
本発明に係るテレビジョン受信装置は、地域を識別する番号毎に対応させて１又は複数のチャンネルを記憶する記憶手段と、前記番号の入力を受付ける受付手段とを備え、該受付手段が受付けた番号に応じた１又は複数のチャンネルを受信可能に設定するテレビジョン受信装置において、前記番号により識別される地域毎の受信障害対策を番号毎に記憶する受信障害対策記憶手段と、該受信障害対策記憶手段が記憶する受信障害対策を実施する実施手段とを備えていることを特徴とする。
【０００８】
このテレビジョン受信装置では、記憶手段が、地域を識別する番号毎に対応させて１又は複数のチャンネルを記憶し、受付手段が番号の入力を受付け、その受付けた番号に応じた１又は複数のチャンネルを受信可能に設定する。受信障害対策記憶手段が、番号により識別される地域毎の受信障害対策を番号毎に記憶し、実施手段が、受信障害対策記憶手段が記憶する受信障害対策を実施する。
【０００９】
本発明に係るテレビジョン受信装置は、前記受付手段が前記番号を受付けたときに、受付けた番号に応じた受信障害対策を前記受信障害対策記憶手段が記憶しているか否かを判定する手段を更に備え、該手段が前記受信障害対策を記憶していると判定したときに、該受信障害対策を前記実施手段が実施するように構成してあることを特徴とする。
【００１０】
このテレビジョン受信装置では、受付手段が前記番号を受付けたときに、判定する手段が、その受付けた番号に応じた受信障害対策を受信障害対策記憶手段が記憶しているか否かを判定する。判定する手段が受信障害対策を記憶していると判定したときに、実施手段がその受信障害対策を実施する。
【００１１】
本発明に係るテレビジョン受信装置は、前記受信障害対策記憶手段が記憶する受信障害対策を実施するか否かの操作を受付ける手段を更に備え、該手段が受付けた操作に従うように構成してあることを特徴とする。
【００１２】
このテレビジョン受信装置では、受付ける手段が、受信障害対策記憶手段が記憶する受信障害対策を実施するか否かの操作を受付け、その受付けた操作に従って受信障害対策を実施する、又は実施しない。
【発明の効果】
【００１３】
本発明に係るテレビジョン受信装置によれば、受信地域特有の受信障害への対策を自動的に実施することが可能なテレビジョン受信装置を実現することができる。
【図面の簡単な説明】
【００１４】
【図１】本発明に係るテレビジョン受信装置の実施の形態の要部構成を示すブロック図である。
【図２】受信障害対策記憶部のイメージの例を示す説明図である。
【図３】受信障害対策記憶部の郵便番号毎のデータの例を示す説明図である。
【図４】本発明に係るテレビジョン受信装置の動作の例を示すフローチャートである。
【発明を実施するための形態】
【００１５】
以下に、本発明をその実施の形態を示す図面に基づき説明する。
図１は、本発明に係るテレビジョン受信装置の実施の形態の要部構成を示すブロック図である。
このテレビジョン受信装置は、テレビジョン受信装置本体１とリモートコントロール装置（以下、リモコン装置と記載）１５とを備えている。テレビジョン受信装置本体１は、アンテナ２、アナログ変調波復調部３、信号処理部４、デジタル変調波復調部８、デジタル復号化処理部９、制御部５、受信障害対策記憶部６、チャンネルデータ記憶部７、リモコン受光部１４、音声出力処理部１０、表示処理部１１及び表示部１２を備えている。
【００１６】
リモコン装置１５からの選局信号がリモコン受光部１４を通じて制御部５で受信され、制御部５は選局されたチャンネルをアナログ変調波復調部３又はデジタル変調波復調部８に設定する。
アンテナ２により受信されたテレビジョン電波は、アナログ変調波復調部３又はデジタル変調波復調部８で設定されたチャンネル周波数に同調して、テレビジョン信号又はデジタルテレビジョン信号に復調される。復調されたテレビジョン信号は、信号処理部４で画像信号及び音声信号に分離されて、それぞれ表示処理部１１及び音声出力処理部１０に与えられる。
【００１７】
デジタル変調波復調部８で復調されたデジタルテレビジョン信号は、デジタル復号化処理部９でアナログ信号に変換されると共に画像信号及び音声信号に分離されて、それぞれ表示処理部１１及び音声出力処理部１０に与えられる。また、デジタルテレビジョン信号に含まれるデジタルデータ放送のデータ信号は制御部５に与えられる。
表示処理部１１に与えられた画像信号は、表示処理部１１で同期を取られて表示部１２に表示される。制御部５に与えられたデータ信号は、表示処理部１１に与えられ、表示処理部１１で多重表示処理されて表示部１２に表示される。
音声出力処理部１０に与えられた音声信号は、スピーカ１３で音声に変換されて出力される。
【００１８】
チャンネルデータ記憶部７は、例えば、７桁の郵便番号毎に対応させて、その郵便場号が識別する地域で視聴可能な１又は複数のチャンネルを記憶している。制御部５は、チャンネル設定時に、リモコン装置１５から入力された郵便番号を受付け、受付けた郵便番号に対応するチャンネルを、チャンネルデータ記憶部７から読込み、内蔵するチャンネル設定部５ａに設定する。
【００１９】
受信障害対策記憶部６は、図２に示すようなイメージのデータテーブルであり、例えば、７桁の郵便番号毎に対応させて、その郵便場号が識別する地域（地区）でのチャンネル毎の受信障害対策を記憶している。郵便番号毎のデータは、例えば、図３に示すようなものであり、チャンネル毎の、又はその地区の各チャンネル共通の受信障害に対する対策である。
これらの対策は、受信障害についての市場クレームを各地のサービスマンが個別対応した際の調整データを、メーカの設計部門が収集して纏め、郵便番号に対応させてデータテーブルに記憶させる。
【００２０】
ここで、アナログ放送時に一般的な受信障害として、隣接妨害、イメージ妨害、フラッター障害及び強入力妨害を挙げることができる。
隣接妨害は、選局チャンネルに対して、１チャンネル下側又は上側から受ける妨害であり、ビートやウィンド・ワイパー妨害（画面上、縦や横のバーが流れる）が現れる。これを防止する為に、同一サービスエリア内での放送周波数配置（チャンネルプラン）は、隣接チャンネルができないようにされているが、隣県に近い地域では、隣接関係になるチャンネルで妨害が発生する場合がある。
隣接妨害への対策としては、隣接トラップ（隣接チャンネルの信号を減衰させるフィルタ）をアナログ変調波復調部３に介装させる。
【００２１】
また、アナログ放送時のイメージ妨害は、イメージ周波数の関係となるチャンネルから受ける妨害であり、受信周波数に対し５８.７５ＭＨｚ高い周波数（約１０チャンネル上側）にあるチャンネルから受ける。これを防止する為に、同一サービスエリア内での放送周波数配置（チャンネルプラン）は、イメージチャンネルができないようにされているが、隣県に近い地域で、又はテレビジョン放送以外の信号とイメージ関係になるチャンネルで妨害が発生する場合がある。
イメージ妨害への対策としては、イメージ周波数に当たる信号を減衰させるトラップをアナログ変調波復調部３に介装させる。
【００２２】
フラッター障害は、航空機からの電波反射により受信信号レベルが変化し、画面異常や同期流れが発生する障害であり、飛行場に近い地域で影響を受ける場合が多い。
アナログ放送時のフラッター障害への対策としては、ＡＧＣ（Automatic Gain Control）の変化スピードを速く（又は遅く）してレベル変化に追従するように対応する。
強入力妨害は、放送局に近い地域で電波強度が強すぎる場合に、チューナのＡＧＣ制御範囲でのゲインリダクションでは充分でないときに発生する。
強入力妨害への対策としては、アッテネータをアナログ変調波復調部３又はデジタル変調波復調部８に追加すること等が必要である。
【００２３】
受信障害対策記憶部６が記憶する受信障害対策は、アナログ変調波復調部３及びデジタル変調波復調部８がそれぞれ内蔵する受信障害対策設定部３ａ及び８ａに、制御部５により設定される。図３に示す「ＲＦＡＧＣ（ラジオ周波数自動利得制御回路）  ゲイン（利得）ＭＡＸ固定」、「ＲＦＡＧＣ  ゲインＭＩＮ固定」では、アナログ変調波復調部３及びデジタル変調波復調部８内のＲＦＡＧＣが、当該チャンネルが選局されたときに、「ゲインＭＡＸ固定」、「ゲインＭＩＮ固定」になるように設定される。
【００２４】
図３に示す「特定周波数トラップオン」では、受信障害対策設定部３ａ，８ａ内に特定周波数トラップを設けておき、当該チャンネルが選局されたときに、その特定周波数トラップがオンになるように（アナログ変調波復調部３又はデジタル変調波復調部８に介装されるように）設定される。
このように、上記障害対応への個別対応部品及び個別対応回路を、予め受信障害対策設定部３ａ及び８ａ内に設けておき、当該チャンネルが選局されたときにオンになるように、制御部５から設定しておく。
【００２５】
以下に、このような構成のテレビジョン受信装置の動作の例を、それを示す図４のフローチャートを参照しながら説明する。
制御部５は、リモコン装置１５でチャンネル設定機能が選択され、受信障害対策機能ボタン１５ａがオンに設定されている場合、郵便番号が入力されると（Ｓ１）、その郵便番号に対応するチャンネルをチャンネルデータ記憶部７から読込み、その郵便番号に対応する受信障害対策を受信障害対策記憶部６から読込む動作を行う（Ｓ３）。
【００２６】
制御部５は、次に、読込んだ受信障害対策が存在しているか否かを判定し（Ｓ５）、存在していれば、その読込んだ受信障害対策を受信障害対策設定部３ａ，８ａに設定し、それらの受信障害対策を実施しておく（Ｓ７）。
制御部５は、次に、読込んだチャンネルをチャンネル設定部５ａに設定した（Ｓ９）後、郵便番号が入力される迄待機する（Ｓ１）。
制御部５は、読込んだ受信障害対策が存在していなければ（Ｓ５）、読込んだチャンネル（Ｓ３）をチャンネル設定部５ａに設定した（Ｓ９）後、郵便番号が入力される迄待機する（Ｓ１）。
【００２７】
ユーザは、受信障害対策を実施して効果が無ければ、受信障害対策機能ボタン１５ａをオフにして、受信障害対策を設定せずに、チャンネルを設定することができる。受信障害対策機能ボタン１５ａは、郵便番号単位又はチャンネル単位でオン又はオフにすることが可能である。
尚、本実施の形態では、郵便番号により地域を識別しているが、郵便番号に限らず、電話番号、又は独自に作成された地域識別番号等を使用しても、同様なことが可能である。
【符号の説明】
【００２８】
１  テレビジョン受信装置本体
２  アンテナ
３  アナログ変調波復調部
３ａ，８ａ  受信障害対策設定部
４  信号処理部
５  制御部
５ａ  チャンネル設定部
６  受信障害対策記憶部
７  チャンネルデータ記憶部
８  デジタル変調波復調部
９  デジタル復号化処理部
１１  表示処理部
１２  表示部
１５  リモートコントロール装置（リモコン装置）
【図１】
2012199683.tif 000003
【図２】
2012199683.tif 000004
【図３】
2012199683.tif 000005
【図４】
2012199683.tif 000006